(57)【要約】【課題】複数の収納空間を有する箱型ケースを合成樹脂を材料として振動溶着によって形成するにあたって、各収納空間を構成するための壁における振動溶着が確実で、各収納空間が確実に区画されている箱型ケースを提供すること。【解決手段】  各半割体１０・２０の内部に、収納空間３０を形成するための内部隔壁１１・２１を形成するとともに、これらの内部隔壁１１・２１を外側から包み込むための外壁１２・２２を各半割体１０・２０に形成して、各内部隔壁１１・２１同士、及び外壁１２・２２同士を前記振動溶着によって互いに接合するのにあたり、各半割体１０・２０の少なくともいずれか一方の内部隔壁１１または２１の第１振動溶着面１３または２３を外壁１２または２２の第２振動溶着面１４または２４より高くしておくことにより、内部隔壁１１・２１同士の振動溶着が、外壁１２・２２のそれに対して先に行われ得るようにしたこと。【選択図】図１
2005342952.tif 000002
【特許請求の範囲】
【請求項１】
互いに面対称となった略箱型で合成樹脂製の第１半割体及び第２半割体を、その各開口部側にて振動溶着するとにより一体化して、内部に複数の収納空間を形成するようにした箱型ケースであって、
前記各半割体の内部に、前記収納空間を形成するための内部隔壁を形成するとともに、これらの内部隔壁を外側から包み込むための外壁を前記各半割体に形成して、
前記各内部隔壁同士、及び前記外壁同士を前記振動溶着によって互いに接合するのにあたり、前記各半割体の少なくともいずれか一方の内部隔壁またはの第１振動溶着面またはを前記外壁またはの第２振動溶着面またはより高くしておくことにより、前記内部隔壁同士の振動溶着が、前記外壁のそれに対して先に行われ得るようにしたことを特徴とする箱型ケース。
【請求項２】
互いに面対称となった略箱型で合成樹脂製の第１半割体及び第２半割体を、その各開口部側にて振動溶着するとにより一体化して、内部に複数の収納空間を有する箱型ケースの製造方法であって、
前記各半割体の内部に、前記収納空間を形成するための内部隔壁及びを形成し、これらの内部隔壁及びを外側から包み込むための外壁を前記各半割体に形成しておくとともに、前記各半割体の少なくともいずれか一方の内部隔壁またはの第１振動溶着面またはを前記外壁またはの第２振動溶着面またはより高くしておいて、
前記内部隔壁及び同士、及び前記外壁及び同士を前記振動溶着によって互いに接合するのにあたり、前記内部隔壁及び同士の振動溶着を、前記外壁及びのそれに対して先に行うようにしたことを特徴とする箱型ケースの製造方法。
【発明の詳細な説明】
【技術分野】
【０００１】
本発明は、互いに面対称となっている半割体を振動溶着によって溶着することにより形成される箱型ケースに関し、特に、内部に複数の収納空間を有する箱型ケース及びその製造方法に関するものである。
【背景技術】
【０００２】
合成樹脂によって形成されて、内部に複数の収納空間を有する箱型ケースとしては、例えば、特許文献１に記載されているような、ガソリンと潤滑油とを区画して収納する二槽タンク、あるいは特許文献２に記載されているような、複数の周波数帯域での消音を可能にするレゾナンスチャンバや、スロットル弁からの吸気を複数の吸気管に分配するためのサージタンクがある。
【０００３】
特許文献１に記載されている二槽タンクは、図１０にも示すように、「第一貯留槽（１Ａ）、第二貯留槽（１箱型ケース１００）、及び仕切り壁（５）をそれぞれ上下、左右、又は前後に分割した第一分割体（２０）と第二分割体（４０）とが射出成形法により成形されるとともに、前記第一分割体（２０）における接合側端面（３０）と前記第二分割体（４０）における接合側端面（５０）とが振動溶着法により接合されてなる」構成を有するもので、「製造コストを低く抑えることができ、タンク間の組み付け作業を不要にできるとともに、その取り付け作業を容易に行え、かつ、成形素材の厳密な重量管理を必要とせず、肉厚を均一にでき、見栄えも良く、また、別途に穴加工等を必要としない」といった作用及び効果が得られるものと考えられる。
【０００４】
また、特許文献２に記載されているレゾナンスチャンバあるいはサージタンクは、図１１にも示すように、「傾斜部２１ａ，２２ａを除く部位での溶着接合を傾斜部２１ａ，２２ａに対応する部位に先立って開始させるために、傾斜部２１ａ，２２ａに対応する部位での溶着ビード２３，２４の加圧方向１４に沿う方向での高さが、傾斜部２１ａ，２２ａを除く部位での溶着ビード２３，２４の前記高さよりも低く設定される」ものであり、「振動溶着時の加圧方向に対して同一方向に傾斜した複数の傾斜部もしくは前記加圧方向に対して傾斜した単一の傾斜部を接合面の一部にそれぞれ有する一対の接合部材を振動溶着して樹脂製構造物を構成する際に、接合品質の低下が生じない」といった作用あるいは効果があると考えられる。
【特許文献１】特開平１１−１７０３８８号公報、要約、代表図
【特許文献１】特開２００２−３６１７５４号公報、要約、代表図
【発明の開示】
【発明が解決しようとする課題】
【０００５】
しかしながら、上記の特許文献１の発明も特許文献２の発明も、基本的には溶着すべき面の「全てを同時に溶着する」ものであるから、特許文献１の「接合側端面」や特許文献２の「接合部材」の内側部分のどこかに溶着されない箇所があったとすると、その部分は「未溶着部分」として内部に残されたままとなる。この内部に残された「未溶着部分」は、外からは見えないのであるから「不良品」としてのチェックのしようがなく、各タンクあるいはチャンバー（部屋）が連通し合った製品となることが有り得る。
【０００６】
もし、折角分けたタンクが連通したものであると、混合油の混合割合が規定通りとならず、あるいはチャンバーの容積が変化して設定された周波数域の消音を果たすことができないことになり、いずれも問題となることが予想される。
【０００７】
そこで、本発明者等は、複数の収納空間あるいは部屋を有する箱型ケースを製造する場合の、上述したような内部の溶着部分を確実に溶着する手段について種々検討を重ねてきた結果、本発明を完成したのである。
【０００８】
すなわち、本発明の目的とするところは、複数の収納空間を有する箱型ケースを合成樹脂を材料として振動溶着によって形成するにあたって、各収納空間を構成するための壁における振動溶着が確実で、各収納空間が確実に区画されている箱型ケース及びその製造方法を提供することにある。
【課題を解決するための手段】
【０００９】
以上の課題を解決するために、まず、請求項１に係る発明の採った手段は、後述する最良の形態の説明中において使用する符号を付して説明すると、
「互いに面対称となった略箱型で合成樹脂製の第１半割体１０及び第２半割体２０を、その各開口部側にて振動溶着するとにより一体化して、内部に複数の収納空間３０を形成するようにした箱型ケース１００であって、
各半割体１０・２０の内部に、収納空間３０を形成するための内部隔壁１１・２１を形成するとともに、これらの内部隔壁１１・２１を外側から包み込むための外壁１２・２２を各半割体１０・２０に形成して、
各内部隔壁１１・２１同士、及び外壁１２・２２同士を前記振動溶着によって互いに接合するのにあたり、各半割体１０・２０の少なくともいずれか一方の内部隔壁１１または２１の第１振動溶着面１３または２３を外壁１２または２２の第２振動溶着面１４または２４より高くしておくことにより、内部隔壁１１・２１同士の振動溶着が、外壁１２・２２のそれに対して先に行われ得るようにしたことを特徴とする箱型ケース１００」
である。
【００１０】
すなわち、この請求項１に係る箱型ケース１００は、図１に示すように、互いに面対称となった略箱型で合成樹脂製の第１半割体１０及び第２半割体２０を、図２に示すように、その各開口部側にて振動溶着するとにより一体化したものであり、その内部に、例えば図４〜図７に示すような複数の収納空間３０（実施形態の導尿容器では精密測定部３１と貯留部３２とが該当）を形成したものである。
【００１１】
そのために、この箱型ケース１００では、図１及び図８に示すように、各半割体１０・２０の内部に、上述した収納空間３０を形成するための内部隔壁１１・２１を形成するとともに、これらの内部隔壁１１及び２１の開口部側端面を、図１に示すように、第１半割体１０側の第１振動溶着面１３及び第２半割体２０側の第１振動溶着面２３とそれぞれしたものである。特に、これらの各内部隔壁１１・２１は、当該箱型ケース１００に要求されている収納空間３０の大きさや数に応じて設計されるものであり、図１に示した例のように、１つの収納空間３０内に別の収納空間３０が形成されることもあるし、図３の（イ）に示すような２つの収納空間３０を隣接し合うように並べたり、あるいは図３の（ロ）に示すように、３つの収納空間３０を並べたりすることもなされる。
【００１２】
また、各半割体１０・２０には、図１に示すように、これを構成している内部隔壁１１・２１を外側から包み込むための外壁１２・２２を、当該各半割体１０・２０にそれぞれ形成するとともに、これらの外壁１２及び２２の開口部側端面を、図１に示すように、第１半割体１０側の第２振動溶着面１４及び第２半割体２０側の第２振動溶着面２４とそれぞれしたものである。
【００１３】
いずれにしても、各内部隔壁１１・２１及び外壁１２・２２は、当該箱型ケース１００内において、複数の収納空間３０を区画するために使用されるものであり、特に、各内部隔壁１１・２１については、図８に示した最良形態の容器におけるように、各収納空間３０を所定の位置で積極的に連通されるためのオーバーフロー口１６（図１にも示してある）が形成されることもある。
【００１４】
そして、この箱型ケース１００は、第１半割体１０及び第２半割体２０を、各内部隔壁１１・２１及び外壁１２・２２にて、振動溶着によって互いに接合することにより一体化することにより形成されるものであるが、その前に、各半割体１０・２０の少なくともいずれか一方の内部隔壁１１または２１の第１振動溶着面１３または２３の高さを、図２の寸法Ｈにて示すように、外壁１２または２２の第２振動溶着面１４または２４より高くなるようにしておかれる。他より高さが寸法Ｈ分だけ高くなっている部分は、例えば内部隔壁１１の第１振動溶着面１３だけ、あるいは第２振動溶着面１４側の第２振動溶着面２４だけであってもよく、さらには両者に形成されていてもよいものであり、具体的には、０．１ｍｍ〜０．２ｍｍ程度の高さとされている。
【００１５】
以上のように構成した各第１半割体１０及び第２半割体２０を、図２に示すように、その各開口部が互いに対向し合うようにセットして互いに当接させると、まず、内部隔壁１１・２１の第１振動溶着面１３・２３が当接し合う。ここで、振動溶着を行うと、内部隔壁１１・２１の第１振動溶着面１３・２３が当接状態で互いに擦れ合い、第１振動溶着面１３・２３が熱を発生して溶融する。
【００１６】
そして、これらの第１振動溶着面１３・２３が順に溶融して溶着し合うとともに、それ自身の高かった部分が段々低くなり、今度は、第２振動溶着面１４・２４が当接して溶融し始めるのである。つまり、振動溶着の初期において、各第１振動溶着面１３・２３の溶着が隙間無く行われた後に、各第１振動溶着面１３・２４の振動溶着が始まるのであり、各第１振動溶着面１３・２３の振動溶着作業は、外壁１２・２２の各第１振動溶着面１３・２４におけるそれ対して先に行われるのである。
【００１７】
換言すれば、この箱型ケース１００においては、内部となっていて表には出ていない少なくとも第１半割体１０側の第１振動溶着面１３の、第２半割体２０側の第１振動溶着面２３に対する振動溶着が他に先立ってなされているのであるが、この第１振動溶着面１３は図２に示した寸法Ｈ分だけ外側に突出させてあったから、この部分の振動溶着が十分成されているか否かは、図２に示した寸法Ｈ分だけの隙間から確認しながら行うことができるのである。そして、この第１振動溶着面１３の図２に示した寸法Ｈ分だけの溶融が済んだ後に、第１半割体１０側の第２振動溶着面１４と第２半割体２０側の第２振動溶着面２４との溶着がなされるのであり、第１半割体１０側の第２振動溶着面１４と第２半割体２０側の第２振動溶着面２４との溶着は外から容易に確認できるため、結果として得られた箱型ケース１００は、内側部分も外側部分も、十分かつ完全に接合し合ったものとなっている。
【００１８】
従って、この請求項１の箱型ケース１００は、各収納空間３０を構成するための壁１１、１２、２１、及び２２における振動溶着が確実になっており、各収納空間３０が確実に区画されていることになるのである。
【００１９】
上記課題を解決するために、請求項２に係る発明の採った手段は、
「互いに面対称となった略箱型で合成樹脂製の第１半割体１０及び第２半割体２０を、その各開口部側にて振動溶着するとにより一体化して、内部に複数の収納空間３０を有する箱型ケース１００の製造方法であって、
各半割体１０・２０の内部に、収納空間３０を形成するための内部隔壁１１及び２１を形成し、これらの内部隔壁１１及び２１を外側から包み込むための外壁１２・２２を各半割体１０・２０に形成しておくとともに、各半割体１０・２０の少なくともいずれか一方の内部隔壁１１または２１の第１振動溶着面１３または２３を外壁１２または２２の第２振動溶着面１４または２４より高くしておいて、
内部隔壁１１及び２１同士、及び外壁１２及び２２同士を前記振動溶着によって互いに接合するのにあたり、内部隔壁１１及び２１同士の振動溶着を、外壁１２及び２２のそれに対して先に行うようにしたことを特徴とする箱型ケース１００の製造方法」
である。
【００２０】
すなわち、この請求項２に係る箱型ケース１００の製造方法は、請求項１に係る箱型ケース１００を製造する方法に関するものであり、箱型ケース１００の各構成部材は、上記請求項１に係る箱型ケース１００において説明したのと同様のものである。
【００２１】
換言すれば、この請求項２の製造方法は、各半割体１０・２０の内部に形成した各内部隔壁１１・２１同士、及びこれらの内部隔壁１１・２１を外側から包み込むための外壁１２・２２同士を、振動溶着によって互いに接合するにあたり、各半割体１０・２０の少なくともいずれか一方の内部隔壁１１または２１の第１振動溶着面１３または２３を外壁１２または２２の第２振動溶着面１４または２４より高くしておくものである。
【００２２】
以上のようにしておくことにより、上記請求項１の箱型ケース１００で説明したように、内部隔壁１１・２１同士の振動溶着が、外壁１２・２２のそれに対して先に行われることになるのである。
【００２３】
従って、この請求項２の製造方法によれば、各収納空間３０を構成するための壁１１、１２、２１、及び２２における振動溶着が確実になされるのであり、各収納空間３０が確実に区画された箱型ケース１００を製造することができるのである。
【発明の効果】
【００２４】
以上詳述した通り、本発明においては、
「互いに面対称となった略箱型で合成樹脂製の第１半割体１０及び第２半割体２０を、その各開口部側にて振動溶着するとにより一体化して、内部に複数の収納空間３０を形成するようにした箱型ケース１００であって、
各半割体１０・２０の内部に、収納空間３０を形成するための内部隔壁１１・２１を形成するとともに、これらの内部隔壁１１・２１を外側から包み込むための外壁１２・２２を各半割体１０・２０に形成して、
各内部隔壁１１・２１同士、及び外壁１２・２２同士を前記振動溶着によって互いに接合するのにあたり、各半割体１０・２０の少なくともいずれか一方の内部隔壁１１または２１の第１振動溶着面１３または２３を外壁１２または２２の第２振動溶着面１４または２４より高くしておくことにより、内部隔壁１１２１同士の振動溶着が、外壁１２・２２のそれに対して先に行われ得るようにしたこと」
を主たる特徴とするものであり、これにより、複数の収納空間３０を有する箱型ケース１００を合成樹脂を材料として振動溶着によって形成するにあたって、各収納空間３０を構成するための壁における振動溶着が確実になっており、各収納空間３０が確実に区画されている箱型ケース１００を提供することができたのである。
【発明を実施するための最良の形態】
【００２５】
次に、以上のように構成した各請求項に係る発明を、図４〜図９に示した最良の形態である箱型ケース１００について説明すると、図４にはこの最良形態の箱型ケース１００の斜視図が示してある。
【００２６】
図４〜図７には、本発明に係る箱型ケース１００の正面側から見た斜視図と、正面図、平面図、そして背面図が示してある。この最良形態の箱型ケース１００は、半割体形状に形成した第１半割体１０と第２半割体２０とを、その各第１半割体１０側の第１振動溶着面１３と第２半割体２０側の内部隔壁２１、及び第１半割体１０側の第２振動溶着面１４と第２半割体２０側の外壁２２にて振動溶着により一体化することにより形成したものであり、患者の尿を一時的にいれておく「導尿容器」として使用されるものである。
【００２７】
すなわち、この箱型ケース１００は、手術中あるいは手術後の患者の身体から引き出された導尿管を通して送られてくる尿を一時的に溜めておくものであり、図６に示した導尿口４０からの尿が導入される複数の収納空間３０を内部に形成したものである。本最良形態の箱型ケース１００における収納空間３０は、図６、図８及び図９に示したように、導入されてきたばかりの新しい尿の量を収納して測定するための精密測定部３１と、この精密測定部３１内の尿を、図１及び図８に示したオーバーフロー口１６から導入されることになる貯留部３２とに機能別に分けられるものである。
【００２８】
そのために、この箱型ケース１００では、図１及び図８に示したように、各半割体１０・２０の内部に、上述した収納空間３０を形成するための内部隔壁１１・２１が形成してあるとともに、これらの内部隔壁１１及び２１の開口部側端面を、図１に示したように、第１半割体１０側の第１振動溶着面１３及び第２半割体２０側の第１振動溶着面２３としてある。
【００２９】
また、各半割体１０・２０には、図１に示したように、これを構成している内部隔壁１１・２１を外側から包み込むための外壁１２・２２が、当該各半割体１０・２０にそれぞれ形成してあるとともに、これらの外壁１２及び２２の開口部側端面を、図１に示したように、第１半割体１０側の第２振動溶着面１４及び第２半割体２０側の第２振動溶着面２４としてある。
【００３０】
そして、この箱型ケース１００は、第１半割体１０及び第２半割体２０を、各内部隔壁１１・２１及び外壁１２・２２にて、振動溶着によって互いに接合することにより一体化することにより形成されるものであることは上述した通りであるが、その前に、各半割体１０・２０の少なくともいずれか一方の内部隔壁１１または２１の第１振動溶着面１３または２３の高さを、図２の寸法Ｈにて示したように、外壁１２または２２の第２振動溶着面１４または２４より高くしてある。
【００３１】
換言すれば、当該箱型ケース１００は、これを構成する両側面１０・２０内に、端面が第１振動溶着面１３・２３となる内部隔壁１１・２１、及び端面が第２振動溶着面１４・２４となる外壁１２・２２を設けておくとともに、第１振動溶着面１３・２３が第２振動溶着面１４・２４に対して図２中の寸法Ｈ分だけ高くなるように形成しておいて、これらの内部隔壁１１・２１及び外壁１２・２２同士を、各第１半割体１０と第２半割体２０との振動溶着によって一体化することにより、内部に、導尿口４０に直接連なる精密測定部３１と、この精密測定部３１の下方を主たる部分とする貯留部３２とを形成したものである。
【００３２】
なお、精密測定部３１と貯留部３２とを振動溶着するにあたって、本最良形態では、各外壁１２・２２の内側、あるいは各内部隔壁１１・２１の両側に帯壁部を形成しておくことがなされる。この帯壁部は、第１半割体１０及び第２半割体２０が相対的に振動しあったときに生ずることがある「スリ屑」を包み込むものである。
【００３３】
精密測定部３１は、当該箱型ケース１００を構成する第１半割体１０及び第２半割体２０の内側であって、図８及び図９に示したように、上側中央部が下側に向けて凹んだ外壁１２・２２より下側に位置するものであり、貯留部３２は、第１半割体１０及び第２半割体２０の下側の大部分を構成するものである。また、この精密測定部３１の、図８に示した図示右上部分には、当該精密測定部３１内に一杯となった尿を貯留部３２内にオーバーフローさせるためのオーバーフロー孔１６が形成してある。
【００３４】
また、この箱型ケース１００の下方部分には、図４、図５及び図６に示したように、内部の尿を排出するための排尿コック７０が設けられるのであるが、この排尿コック７０は、図８及び図９に示したように、第１半割体１０及び第２半割体２０の下方部分に形成したコック穴７１内に取付けられるものである。そして、この箱型ケース１００の中央部分には、図７に示したように、精密測定部３１の尿を貯留部３２側に流すためのリセットコック８０が設けられるのであるが、このリセットコック８０は、図８及び図９に示したように、第１半割体１０及び第２半割体２０に形成したコック穴８１内に設けられるものである。
【００３５】
なお、この箱型ケース１００は、その全体を手で持って搬送し易くするために、第１半割体１０及び第２半割体２０の上部にハンドル部を形成したものであり、また、当該箱型ケース１００を吊り下げるためのフックを、第２半割体２０側のハンドル部の上部に一体的に形成したものである。そして、当該箱型ケース１００は、机の上等にも載置することがあるため、各第１半割体１０及び第２半割体２０の下部には、図１、図２図６、及び図７に示したように、スタンド部がそれぞれ一体的に形成してある。
【００３６】
また、この箱型ケース１００は、その中に患者からの尿を導尿管等を介して導入するものであるから、この導入する際の導尿管等の接続を行うための導尿口４０が、図６に示したように、第２半割体２０の上面側に形成してある。なお、この導尿口４０の隣には、図６に示したように、精密測定部３１内に導入された尿の分の空気を排出するための空気孔４１が設けてあり、この空気孔４１の中には精密測定部３１内に異物が入り込まないようにし、かつ尿の臭いが外に出ないようにするためのフィルターが入れてある。
【００３７】
本最良形態の箱型ケース１００では、その精密測定部３１内の尿をその下部にある貯留部３２内に直接流下させることができるようにもしているが、これを行うのが前述したリセットコック８０である。このリセットコック８０は、その操作摘みを外に出しているものであり、本体は、図８及び図９に示したコック穴８１内に回動自在に挿入されるものである。
【００３８】
また、この箱型ケース１００では、図７に示したように、その精密測定部３１内の尿を直接採ることができるようにするための採尿ポート２７が形成してある。この採尿ポート２７は、通常は精密測定部３１を閉じておくものであるが、採尿器の吸引針を差し込めるようにしているものである。
【００３９】
さらに、この箱型ケース１００では、その第１半割体１０の、精密測定部３１及び貯留部３２に対向する各部分に、図４及び図３に示したように、導入された尿を外部から視認するための第１窓５１及び第２窓５２が、それぞれ設けてある。
【００４０】
第１窓５１は、精密測定部３１に対向するものであるが、これに形成した小部分と大部分とは所定の間隔をおいて形成したものであり、これらの間は、図５に示したように、順次下窄まりとした連結部分によって連続したものとしてある。なお、大部分の下方部分についても、順次下窄まりとしてある。勿論、これらの各部分には、その位置に対応する尿の量を示す目盛が付してある。
【００４１】
一方、第２窓５２は、排尿コック７０の直上にて、「く」の字状のものとして形成してあり、その表面には、目盛が付してある。勿論、この第２窓５２は第１窓５１と同様に、第１半割体１０に対して「二色成形」したものである。
【図面の簡単な説明】
【００４２】
【図１】本発明に係る箱型ケースを構成する第１半割体及び第２半割体の振動溶着前の状態を示す斜視図である。
【図２】同第１半割体と第２半割体とを振動溶着する直前の状態を示す正面図である。
【図３】同箱型ケース内に形成される各収納空間の形状及び関係を示すもので、（イ）は２つの収納空間を四角の箱型ケース内に並列的に形成した例を示す第１半割体の接合面側の平面図、（ロ）は３つの収納空間を楕円形状の箱型ケース内に並列的に形成した例を示す第１半割体の接合面側の平面図である。
【図４】同箱型ケースとして採用される導尿容器の斜視図である。
【図５】同導尿容器の正面図である。
【図６】同導尿容器の平面図である。
【図７】同導尿容器の背面図である。
【図８】同導尿容器を構成している第１半割体の開口部側の端面図である。
【図９】同導尿容器を構成している第２半割体の開口部側の端面図である。
【図１０】従来の技術を示す分解斜視図である。
【図１１】従来の他の技術を示す斜視図であり、（イ）は一方の半割体の開口部側の端面図、（ロ）は他方の半割体の開口部側の端面図である。
【符号の説明】
【００４３】
１００    箱型ケース
１０    第１半割体
１１    内部隔壁
１２    外壁
１３    第１振動溶着面
１４    第２振動溶着面
１６    オーバーフロー口
２０    第２半割体
２１    内部隔壁
２２    外壁
２３    第１振動溶着面
２４    第２振動溶着面
３０    収納空間
３１    精密測定部
３２    貯留部
４０    導尿口
４１    空気穴
５１    第１窓
５２    第２窓
７０    排尿コック
８０    リセットコック
Ｈ    寸法
【図１】
2005342952.tif 000003
【図２】
2005342952.tif 000004
【図３】
2005342952.tif 000005
【図４】
2005342952.tif 000006
【図５】
2005342952.tif 000007
【図６】
2005342952.tif 000008
【図７】
2005342952.tif 000009
【図８】
2005342952.tif 000010
【図９】
2005342952.tif 000011
【図１０】
2005342952.tif 000012
【図１１】
2005342952.tif 000013
【手続補正書】
【提出日】平成16年6月8日(2004.6.8)
【手続補正１】
【補正対象書類名】特許請求の範囲
【補正対象項目名】全文
【補正方法】変更
【補正の内容】
【特許請求の範囲】
【請求項１】
互いに面対称となった略箱型で合成樹脂製の第１半割体及び第２半割体を、その各開口部側にて振動溶着するとにより一体化して、内部に複数の収納空間を形成するようにした箱型ケースであって、
前記各半割体の内部に、前記収納空間を形成するための内部隔壁を形成するとともに、これらの内部隔壁を外側から包み込むための外壁を前記各半割体に形成して、
前記各内部隔壁同士、及び前記外壁同士を前記振動溶着によって互いに接合するのにあたり、前記各半割体の少なくともいずれか一方の内部隔壁の第１振動溶着面を前記外壁の第２振動溶着面より高くしておくことにより、前記内部隔壁同士の振動溶着が、前記外壁のそれに対して先に行われ得るようにしたことを特徴とする箱型ケース。
【請求項２】
互いに面対称となった略箱型で合成樹脂製の第１半割体及び第２半割体を、その各開口部側にて振動溶着するとにより一体化して、内部に複数の収納空間を有する箱型ケースの製造方法であって、
前記各半割体の内部に、前記収納空間を形成するための内部隔壁を形成し、これらの内部隔壁を外側から包み込むための外壁を前記各半割体に形成しておくとともに、前記各半割体の少なくともいずれか一方の内部隔壁の第１振動溶着面を前記外壁の第２振動溶着面より高くしておいて、
前記内部隔壁及び同士、及び前記外壁同士を前記振動溶着によって互いに接合するのにあたり、前記内部隔壁同士の振動溶着を、前記外壁のそれに対して先に行うようにしたことを特徴とする箱型ケースの製造方法。
【手続補正２】
【補正対象書類名】明細書
【補正対象項目名】００１６
【補正方法】変更
【補正の内容】
【００１６】
そして、これらの第１振動溶着面１３・２３が順に溶融して溶着し合うとともに、それ自身の高かった部分が段々低くなり、今度は、第２振動溶着面１４・２４が当接して溶融し始めるのである。つまり、振動溶着の初期において、各第１振動溶着面１３・２３の溶着が隙間無く行われた後に、各第２振動溶着面１４・２４の振動溶着が始まるのであり、各第１振動溶着面１３・２３の振動溶着作業は、外壁１２・２２の各第２振動溶着面１４・２４におけるそれ対して先に行われるのである。